Podtech/llm-jp-corpus-v4-ja_patent huggingface dataset:
(57)【要約】【課題】玉子の殻の形状を崩さず利用しうる玉子食品の開発【解決手段】玉子に小さな穴を開け  食品を抽出及び注入、加熱し又は冷し栓をし又はシールを張り、形状を保つ事で解決を見る【特許請求の範囲】
【請求項１】
玉子の自然の形を保つ殻の容器とこれを利用した食品
【発明の詳細な説明】
【技術分野】
【０００１】本発明は玉子の殻を利用した密閉容器及びそれを利用した食品の製造法
【背景技術】
【０００２】従来から玉子の殻を利用した食品は有るが割った形態が主流
【発明の開示】
【発明が解決しょうとする課題】
【０００３】しかし従来のような形状ではひっくり返えすと、こぼれ又露出した分部が不衛生であり余分な包装をせざる事で有る。
【課題を解決するための手段】
【０００４】この課題を解決するための発明は温泉玉子を作り、殻に小さな穴を聞け、ゆすりながら中身を出すと、黄身だけがのこる、糖蜜を入れ黄身に味を付けて、糖蜜を出す、練乳に寒天・ゼラチンをとかした品を穴から注入し穴に栓をする又はシールを張り密封し、冷蔵庫に入れ冷やすと食品が生れる。
【発明の効果】
【０００５】本発明は玉子の殻を丸ごと利用する事で、見た目玉子、しかし中身はちがう食品を入れる事でいがい性を産む玉子の殻の食品が出来る。
【発明を実施するための手段】
【０００６】見た目そのまんま玉子にする為に殻を壊さず、小さな穴から食品を出し入れする事でそれを可能にした
【産業上の利用可能性】
【０００７】玉子は安価な食品で量産する事が可能な食品である。
(57)【要約】【課題】不使用時に容易に折り畳むことができ、持ち運びに便利なアイグラスディスプレイを提供する。【解決手段】アイグラスディスプレイ１は、２つの眼鏡レンズ２、３を有し、これらはレンズ枠４に嵌め込まれている。そのうちの一つの眼鏡レンズ３中には、第１の反射体であるミラー５と第２の反射体であるハーフミラー６が設けられており、映像投影レンズとされている。レンズ枠４の映像投影レンズ３側には、映像形成投影装置７の筐体部が、レンズ枠４と一体形成されている。レンズ枠４と一体形成された映像形成投影装置７の筐体には、テンプル８が取り付けられており、テンプル８の折り曲げ部９は、映像形成投影装置７の筐体の直後に設けられている。【選択図】  図２
2008035208.tif 000002
【特許請求の範囲】
【請求項１】
レンズ枠とテンプルを有する眼鏡タイプのアイグラスディスプレイであって、眼鏡レンズが前記レンズ枠によって保持され、映像形成投影装置から射出される光束を、前記眼鏡レンズのうちの一つ（映像投影レンズ）に入射させて第１の反射体により反射させ、当該眼鏡レンズの中を通して第２の反射体により反射させて眼に導くものにおいて、映像形成投影装置が前記レンズ枠に保持されていることを特徴とするアイグラスディスプレイ。
【請求項２】
前記映像形成投影装置が保持されている側のテンプルが、前記映像形成投影装置の筐体に取り付けられ、前記映像形成投影装置の後方に折り曲げ部を有することを特徴とする請求項１に記載のアイグラスディスプレイ。
【発明の詳細な説明】
【技術分野】
【０００１】
本発明はアイグラスディスプレイに関するものである。
【背景技術】
【０００２】
外界の映像にコンピュータなどの映像を重ねて表示可能なディスプレィとして、シースルータイプのアイグラスディスプレイがあり、例えば特開２００４−１２７６８号公報（特許文献１）に記載されている。このようなディスプレィでは、映像形成投影装置で形成された映像に対応する光束を、眼鏡レンズを通して伝播させ、眼鏡レンズ中央付近にあるハーフミラーやＨＯＥ等の反射部材で目の方に映像を反射させて表示する。
【特許文献１】特開２００４−１２７６８号公報
【発明の開示】
【発明が解決しようとする課題】
【０００３】
通常の眼鏡の場合、眼鏡のテンプルを折り畳むことによって持ち運びを簡単にできるが、このようなアイグラスディスプレイの場合、テンプル部に映像形成投影装置が取り付けられるため、テンプルを内側に折り畳もうとしても、レンズ枠や眼鏡レンズと映像形成投影装置が機械的に干渉して折り畳むことができず持ち運びに不便であった。
【０００４】
本発明はこのような事情に鑑みてなされたものであり、不使用時に容易に折り畳むことができ、持ち運びに便利なアイグラスディスプレイを提供することを課題とする。
【課題を解決するための手段】
【０００５】
前記課題を解決するための第１の手段は、レンズ枠とテンプルを有する眼鏡タイプのアイグラスディスプレイであって、眼鏡レンズが前記レンズ枠によって保持され、映像形成投影装置から射出される光束を、前記眼鏡レンズのうちの一つ（映像投影レンズ）に入射させて第１の反射体により反射させ、当該眼鏡レンズの中を通して第２の反射体により反射させて眼に導くものにおいて、映像形成投影装置が前記レンズ枠に保持されていることを特徴とするアイグラスディスプレイである。
【０００６】
前記課題を解決するための第２の手段は、前記第１の手段であって、前記映像形成投影装置が保持されている側のテンプルが、前記映像形成投影装置の筐体に取り付けられ、前記映像形成投影装置の後方に折り曲げ部を有することを特徴とするものである。
【発明の効果】
【０００７】
本発明によれば、不使用時に容易に折り畳むことができ、持ち運びに便利なアイグラスディスプレイを提供することができる。
【発明を実施するための最良の形態】
【０００８】
以下、本発明の実施の形態の例を、図１、図２を用いて説明する。図１は、本発明の実施の形態の１例であるアイグラスディスプレイの概要を示す斜視図、図２は、その水平断面図である。アイグラスディスプレイ１は、２つの眼鏡レンズ２、３を有し、これらはレンズ枠４に嵌め込まれている。そのうちの一つの眼鏡レンズ３中には、第１の反射体であるミラー５と第２の反射体であるハーフミラー６が設けられており、映像投影レンズとされている。レンズ枠４の映像投影レンズ３側には、映像形成投影装置７の筐体部が、レンズ枠４と一体形成されている。
【０００９】
映像形成投影装置７中には、ＬＣＤ等の映像形成装置７ａと投影レンズ７ｂが設けられている。レンズ枠４と一体形成された映像形成投影装置７の筐体には、テンプル８が取り付けられており、テンプル８の折り曲げ部９は、映像形成投影装置７の筐体の直後（後方）に設けられている。眼鏡レンズ２側のレンズ枠４には、折り曲げ部１０を有するテンプル１１が取り付けられている。映像形成投影装置７には、ケーブル１２が後方から接続されている。
【００１０】
このように、本実施の形態においては、映像形成投影装置７の筐体部が、レンズ枠４と一体形成されて、映像形成投影装置７がレンズ枠４により保持されているので、映像形成投影装置７により形成される出っ張りが小さくなり、かつ、目立ちにくくなる。又、映像形成投影装置７と、映像投影レンズ３との相対位置関係が固定されるので、安定して映像を投影することができる。
【００１１】
さらには、映像形成投影装置７の後側に折り曲げ部９が設けられているので、テンプル８を折り畳む際には、ここを中心にして折り畳むことになり、光学機能部との干渉無く、テンプル８を折り畳むことができる。又、映像形成投影装置７には、ケーブル１２が後方から接続されているので、テンプル８の折り曲げに影響されないケーブル配置が可能となる。
【図面の簡単な説明】
【００１２】
【図１】本発明の実施の形態の１例であるアイグラスディスプレイの概要を示す斜視図である。
【図２】図１に示すアイグラスディスプレイの水平断面図である。
【符号の説明】
【００１３】
１…アイグラスディスプレイ、２…眼鏡レンズ、３…眼鏡レンズ（映像投影レンズ）、４…レンズ枠、５…ミラー、６…ハーフミラー、７…映像形成投影装置、８…テンプル、９…折り曲げ部、１０…折り曲げ部、１１…テンプル、１２…ケーブル
【図１】
2008035208.tif 000003
【図２】
2008035208.tif 000004
(57)【要約】【課題】本発明は、植物のプランターに対する給水装置に係る技術に属する。【解決手段】水タンクと、植物のプランターに給水する電磁バルブと、土中の水分を測定するセンサーと、センサーからの土壌湿度を受け取り土壌中の水分量が一定数値以下となった時前記水タンクと連通する電磁バルブを開放し土壌に散水し、土壌中の水分が一定値以上になった時電磁バルブを閉鎖するコントローラからなる植物に散水する装置であって、重石を乗せることで水タンク内の水がその重量で電磁バルブの先端にまで届いている植物のプランターに対する散水装置である。【選択図】図1
2008035705.tif 000002
【特許請求の範囲】
【請求項１】
水タンクと、植物のプランターに散水する電磁バルブと、土中の水分を測定するセンサーと、センサーからの土壌湿度を受け取り土壌中の水分量が一定数値以下となった時前記水タンクと連通する電磁バルブを開放しプランターに散水し、土壌中の水分が一定値以上になった時電磁バルブを閉鎖するコントローラからなる植物に散水する装置であって、重石を乗せることで水タンク内の水がその重量で電磁バルブの先端にまで届いている植物のプランターに対する散水装置。
【請求項２】
請求項1記載の植物に対する給水装置において、重石が植物のプランターである植物のプランターに対する給水装置。
【発明の詳細な説明】
【技術分野】
【０００１】
本発明は、植物のプランターに対する散水装置に係る技術に属する。
【背景技術】
【０００２】
植物に水を供給する装置で、土壌の水分を測定し、水分量が一定限度以下になったら自動的に散水し、水分量が一定限度以上となった時点で散水を止める手段は例えば、特開２００４−１２４５９９に記載されている。
【０００３】
上記発明は耕地に対し適用される技術であり、地中の水分量、気象予測、地中水分量予測などに基いて、灌漑用貯水槽のバルブの開閉制御を行い、最適な灌漑用水供給を図るものである。
本発明はかかる大規模な灌漑用の給水制御を目的とせず、プランターに植えた草木に対して最適な散水を、重力の力を利用して図るものである。
【０００４】
【特許文献１】特開２００４−１２４５９９
【発明の開示】
【発明が解決しようとする課題】
【０００５】
本発明は、プランターに植えた草木に散水する装置の提案である。
【課題を解決するための手段】
【０００６】
本第1の発明は、水タンクと、植物のプランターに散水する電磁バルブと、土中の水分を測定するセンサーと、センサーからの土壌湿度を受け取り土壌中の水分量が一定数値以下となった時前記水タンクと連通する電磁バルブを開放しプランターに散水し、土壌中の水分が一定値以上になった時電磁バルブを閉鎖するコントローラからなる植物に散水する装置であって、重石を乗せることで水タンク内の水がその重量で電磁バルブの先端にまで届いている植物のプランターに対する散水装置であり、重石による重力を散水用の動力源とした。
本第２の発明は、前記第1の発明において、散水の動力源である重石を植物のプランターとした。
【発明の効果】
【０００７】
いずれの発明も重石もしくはプランターの重量を給水の動力源としたため、エネルギーの節約となると共に機構が単純化され故障等の不具合が減少する。
【発明を実施するための最良の形態】
【０００８】
以下本発明を図により詳細に説明する。
図1は本発明のプランターに対する散水装置の概念図である。
本散水装置は、草木を育成するプランター、給水用の水を貯めておく水タンク、水タンク上に載せられた重石、電磁弁、プランター中の水分を計測するセンサーおよびセンサーからの土壌中の水分量に応じて電磁弁の開閉を行うコントローラからなる。
【０００９】
水タンクの水は重石により常に電磁弁のところまで満たされており、電磁弁が開放されると重石によってかけられた水圧によりプランターに散水できるようになっている。水タンクはタンクの蓋が上下に動くようになっていてもよく、蓋の上に重石を載せても、蓋自身が重石であってもよい。あるいは容器に挿入した袋でもよく、袋に水を充満し、重石により中の水に水圧をかけることでもよい。袋の周囲に設けた柱に重石を通し重石が傾かないようガイドとすることができる。脱泡した水を用いるならば重石は大気圧であってもなんらさしつかえがない。水タンクが空になれば図示していない給水パイプから重石以上の水圧であるいは重石をはずして、水タンク中に再び給水することができる。
【００１０】
コントローラはプログラマブルコントローラ、パーソナルコンピュータなどのコンピュータシステムであり、センサーからの土壌中の水分量データを受け取り、その値が一定の閾値以下であれば電磁バルブを開きプランターに散水し、その値が前記閾値を超える場合は電磁バルブを閉めることで散水を中止する。
電磁バルブ、センサーおよびコントローラは既存のシステムを利用することができる。
【００１１】
本第２の発明は、上記説明したプランターに対する散水装置において、水タンク上の重石がプランターそのものとした例である。図示したプランターは複数のプランターを組み合わせた例として示してあるが、特にその数を限定するものではない。各プランターに１個のセンサーを示してあるが、これもその数を限定するものではない。各センサーからの土壌中の水分量に応じ、水分量の閾値に応じ各電磁バルブの開閉を行うことは前記したとおりである。
散水するプランターの高さに応じた水圧が得られるよう、重石となるようプランターの重量を設定する。
【図面の簡単な説明】
【００１２】
【図１】本第１の発明にかかわる散水装置の概念図である。
【図２】本第２の発明にかかわる散水装置の概念図である。
【符号の説明】
【００１３】
１  水タンク
２  重石
３  センサー
４  電磁弁
５  コントローラ
６  プランター
【図１】
2008035705.tif 000003
【図２】
2008035705.tif 000004
(57)【要約】【課題】抜毛による異物混入や、経年変化による掃き込み能力低下を抑制した製茶揉捻機の掃き込み装置を提供する。【解決手段】製茶揉捻機１において、茶葉製品を鉢４の中に掃き込むために具備された掃き込み装置において、掃き込み輪３に具備する掃き込み部を、従来から使用されている合成繊維のブラシではなく、裾に切れ込みを入れた合成樹脂の板２にすることで、抜毛による異物混入の恐れがなく、掃き込み能力の低下を抑制した、製茶揉捻機における掃き込み装置を提供する。【選択図】  図２
2008035785.tif 000002
【特許請求の範囲】
【請求項１】
茶葉製品の加工工程の茶葉製品の乾燥過程で生じる乾燥度の偏りを均一にする製茶揉捻機において、裾部分に多数の切込みが適宜な間隔で入った、製茶揉捻機の鉢の周囲を取り囲む形状に成形した合成樹脂の板を具備することを特徴とする製茶揉捻機の掃き込み装置。
【発明の詳細な説明】
【技術分野】
【０００１】
本発明は、製茶揉捻機に関するものであり、詳しくは、製茶揉捻工程において、茶葉製品を製茶揉捻機の鉢内部に集める為の掃き込み装置に関するものである。
【背景技術】
【０００２】
製茶揉捻機は、茶葉製品の加工において、乾燥過程で乾燥具合に偏りの生じた茶葉製品の水分を、加圧しながら揉み込む事で、茶葉製品全体の水分量が均一になるように調整する機械であり、次工程以降の茶葉製品の乾燥効率を上げると共に、茶葉製品の品質向上の為に使用される。
【０００３】
製茶揉捻機は、鉢内部に茶葉製品を抱えた状態で、錘を用いて茶葉製品を加圧しながら、鉢が揉盤上を、揉盤に対して平行方向へ周回運動をすることで茶葉製品を揉み込む機械であるが、揉盤と鉢の間には一定の間隔が空いている（約１０ｍｍ前後）。
【０００４】
この周回運動により、鉢と揉盤の隙間から鉢の外へ茶葉製品が出てしまうことを防ぐ為、又、鉢の外にある茶葉製品を鉢の中に掃き込むことで、ムラ無く茶葉製品を仕上げる為に、鉢の周囲には掃き込み装置が環状に具備されている。
【０００５】
当該掃き込み装置は、通常は図４のように、合成繊維を束ねて、ブラシ状に成形し、掃き込み輪と称される部品に固定して、鉢の外周囲に取り囲むように具備する。製茶揉捻機の周回運動時、当該掃き込み装置の裾は製茶揉捻機の揉盤に対して少なくとも一部が触れるようになっており、掃き込み装置は掃除の際には、掃き込み輪の部分で着脱して掃除を行う。
【０００６】
掃き込みがうまくいくかどうかで揉捻工程における茶葉製品の品質が変わる為、過去においても掃き込み性能の向上や、鉢の外部へ茶葉製品が出ないようにする工夫はなされてきた。(例えば特許文献１および特許文献２)
【特許文献１】実用新案公開平７−１１１８８公報
【特許文献２】実用新案公開昭５２−１６０６９８公報
【発明の開示】
【発明が解決しようとする課題】
【０００７】
当該掃き込み装置においては、長期間使用すると使用している間に、合成繊維の毛が経年変化により曲がり、掃き込み能力が低下し、又、茶葉製品中より発生するケバ(茶の茎の皮が茶葉製品の加工工程中に剥離して毛羽状に変化したものを茶業界ではケバと称する)が、当該掃き込み装置の毛先に絡みやすく、変形して毛先が反り返るとさらに絡みやすくなるという問題があった。この為、製茶揉捻機の掃き込み装置のブラシを定期的に掃除する必要があり、その作業を軽減するために着脱方法を簡便する等の工夫がなされてきた。
【０００８】
又、長期間の使用の間に当該掃き込み装置には抜毛が発生するが、抜毛して茶葉製品中に混入した合成繊維の除去は大変困難であり、茶葉製品内への異物混入として問題となることもあった。
【０００９】
本発明はこのような事情を鑑みてなされたものであり、製茶揉捻機において、ケバが絡んだりする事を減らし、経年変化による掃き込み能力の低下を軽減し、茶葉製品内への異物混入の無い製茶揉捻機の掃き込み装置を提供することにある。
【課題を解決するための手段】
【００１０】
請求項１記載の発明では、製茶揉捻機の掃き込み装置として、裾方向に多数の切れ込みを適宜な間隔で入れた合成樹脂の板を、製茶揉捻機の鉢の外周囲に取り囲むように具備したことを特徴とする。
【発明の効果】
【００１１】
請求項１記載の発明によれば、製茶揉捻機において、長期間使用による掃き込み装置の合成繊維の抜毛を防止し、茶葉製品の中に異物として合成繊維が混入する危険を回避することが出来る。又、掃き込み装置にケバが絡む事によるメンテナンスの手間も軽減し、経年変化も合成繊維を使用した場合に比して少なくなるため、長期間の使用による掃き込み能力の低下も防止することが出来る。
【発明を実施するための最良の形態】
【００１２】
以下、本発明を図面を参照にしながら具体的に説明する。
図１は本実施形態に係る製茶揉捻機における掃き込み装置の具備された製茶揉捻機１の全体図であり、製茶揉捻機１の揉盤５の上方に鉢４が具備されている。製茶揉捻機は、錘６で鉢内部の茶葉製品に加圧しながら、該揉盤５の上で鉢４を周回運動させて茶葉製品を揉捻する。揉捻時に揉盤５上へ茶葉製品が残存しないよう、又、揉盤５上の茶葉製品を鉢４内部へ掃き込んで、茶葉製品全体を均一に揉捻できるように、鉢４の外周に環状に掃き込み装置２が具備されている。
【００１３】
図２は製茶揉捻機の掃き込み装置の断面図である。図２のように、裾に切れ込みを入れた合成樹脂の板２を、掃き込み輪３に装着することで、従来のブラシ型の掃き込み装置と同様の機能を有しつつ、従来の掃き込み装置の問題であった抜毛や、掃き込み能力の低下といった問題が解決する。合成樹脂の板の厚みは、1mm〜５mm程度で、好ましくは2mm程度、弾性変形が可能である、耐水性のある合成樹脂ならば何でもよい。合成樹脂繊維を布状に編みこんだものでもよい。該合成樹脂の板の裾部分に入れる切れ込みのピッチは5mm〜30mm程度で、特に好ましくは10mm〜20mm程度が良い。該合成樹脂の切れ込み形状は、揉盤に対して略垂直方向に暖簾状に成形した形状のものが好ましいが、掃き込む茶葉製品の性状によっては、図３のようにノコギリ状に切り込みを入れてもよい。
【図面の簡単な説明】
【００１４】
【図１】本発明による掃き込み装置を具えた製茶揉捻機の全体図。
【図２】同掃き込み装置の暖簾状に切れ込みを入れた実施例。
【図３】同掃き込み装置のノコギリ型に切れ込みを入れた実施例。
【図４】従来の製茶揉捻機における掃き込み装置の拡大断面図。
【符号の説明】
【００１５】
１    製茶揉捻機フレーム
２    合成樹脂の板
３    掃き込み輪
４    鉢
５    揉盤
６    錘
７    （従来の）合成繊維のブラシ
【図１】
2008035785.tif 000003
【図２】
2008035785.tif 000004
【図３】
2008035785.tif 000005
【図４】
2008035785.tif 000006
(57)【要約】  【課題】  従来の針剣山は草木花の茎を傷め、根腐れを起こし易く、多種多様の草木花の茎を安定させて活ける事が困難であった。又、容器に直接置く陶磁器剣山（素焼き）などは剣山への水の吸収は良いが、草木花への水の吸収が不十分であった。  【解決手段】    厚みのある陶磁器剣山（ガラス）に大小異なる穴を開け、根茎を傷めず安定して花を活ける。底面に通水性の為のくぼみをもたせ、根茎に十分な水を吸収させる。本体よりはみ出した脚を付ける事により、更なる水の通水性と陶剣山本体を安定させる。  【選択図】  図１
2008073241.tif 000002
【特許請求の範囲】
【請求項１】
厚みのある陶剣山（ガラス）本体に大小異なる穴を複数開け、本体底部に
くぼみをもたせ、通水性を良くし、更に本体より外側にはみ出した脚を付ける事により、剣山の安定性を高めた剣山
【発明の詳細な説明】
【技術分野】
【０００１】
本発明は生け花の安定性と通水性を図った剣山に関する。            
【背景技術】
【０００２】
従来の針の剣山は草木花の茎を傷つけてしまい、根腐れを起こし易く茎の安定性にも問題があった。又、容器などに直接置く陶磁器（素焼き）の剣山にも通水性の上で十分とは言えない。
【特許文献１】特開２００３−１９０６１
【特許文献２】実用新案公開平６−５４２８
【発明の開示】
【発明が解決しようとする課題】
【０００３】
針の剣山の場合、草木花の茎を傷めてしまい、根腐れが起こり易い。
【０００４】
太さの異なる草木花の根を安定してさす事が困難である。
【０００５】
容器などに直接置く、従来の陶磁器の剣山は釉薬などにより、草木花への水の吸収が悪い。
【０００６】
容器などに直接置く、素焼きの剣山は、剣山自体への水の吸収は良いが、草木花への直接の水の吸収が不十分である。
【０００７】
容器などに直接置く、陶磁器（素焼き）剣山は、草木花を活ける場合、切り口は斜切されるので、切り口が水に触れる度合いが少ない。
【課題を解決するための手段】
【０００８】
針の無い剣山を使う事により、茎を傷めず草木花を長持ちさせる。
【０００９】
厚みのある陶磁器（ガラス、素焼き）の剣山に無数の大小異なる穴を設ける事により、太さの違う草木花を安定して活ける事が出来る。
【００１０】
陶剣山の底部にくぼみを持たせる事により、通水性が得られ、本体よりはみ出した脚を付ける事により、更なる安定性も得る事が出来る。又、脚を付ける事により見た目にも可愛らしい。
【００１１】
陶剣山、底部にくぼみを持たせ脚を付ける事により、本体が持ち上がるので、斜切された草木花の切り口が水に触れる度合いが大きいので、十分な水を吸収する事が出来る。
【発明の効果】
【００１２】
以上のように陶磁器（素焼き、ガラス）の剣山に大小異なる複数の穴を開け、本体底部にくぼみを持たせ、本体より外側にはみ出した脚を付ける事で、多種多様な草木花の茎を安定させ活ける事が出来、通水性と安定性にとんだ剣山ができる。
【発明を実施するための最良の形態】
【００１３】
以下、本発明の実地の形態を図１〜図６に基づいて説明する。
【実施例】
【００１４】
図１は側面図で、厚みのある陶磁器本体（素焼き、ガラス）を使う事で草木花を安定させると同時に、本体より外側にはみ出した脚を付け、本体のより一層の安定性を剣山に持たせる。脚を付けるのは見た目にも可愛らしい。
【００１５】
図２は底面図で、底面迄、穴を貫通させ、くぼみを付け、脚を付けて本体を持ち上げる事により、通水性をよくし、草木花を長持ちさせる。
【００１６】
図３は真上から見た図で、大小異なる穴を設ける事により、多種多様の茎の草木花を活ける事が出来る。
【００１７】
図４は断面図で、図１のようにドーム型（又は三角型）にする事で、草木花の茎の長さに対応できるようにする。何故なら、草木花は通水性を良くする事で、通水により長持ちするとは言え、時が経つにつれて茎下から水腐れを起こして来る物なので、腐った根元を段階を追って切断して行く事で少しでも永く活けられるようにしたいからである。
【００１８】
図５は実用例で、実際に器に陶剣山を入れ、草木花を活けてみても、陶剣山の脚が高すぎる事が無いので、草木花の切り口が見えにくく、見た目にも美しい。本体より飛び出した脚が何とも可愛らしい。
【００１９】
図６は斜切された草木花の茎が水に触れる度合いが大きく、十分に水が吸収される事を表している。
【産業上の利用可能性】
【００２０】
本考案は、陶磁器（素焼き、ガラス）の剣山で、底部にくぼみと脚を付ける事で生け花を安定させ、活ける事が出来る通水性と安定性の良い剣山である。
【図面の簡単な説明】
【００２１】
【図１】本考案の陶剣山の側面図
【図２】陶剣山の底面図
【図３】陶剣山を真上から見た図
【図４】陶剣山の断面図
【図５】陶剣山の実用図
【図６】陶剣山に花を活けた状態の断面図
【符号の説明】
【００２２】
１  剣山本体
２  茎刺し穴
３  脚
４  くぼみ
５  茎
６  斜切された茎
【図１】
2008073241.tif 000003
【図２】
2008073241.tif 000004
【図３】
2008073241.tif 000005
【図４】
2008073241.tif 000006
【図５】
2008073241.tif 000007
【図６】
2008073241.tif 000008
(57)【要約】【課題】  従来飲水機と自動コーヒーサーバーは別の製品として存在した。そのため場所もとり不便であった。また、コーヒーメーカーの普及は進んだが、顧客はもっと簡単にコーヒーが飲める機器を欲している。【解決手段】  飲水機の筐体内に容易に組み込める、小型の自動コーヒーサーバーユニットを開発し、飲水機に組み込んだ。【選択図】  図１
2008073266.tif 000002
【特許請求の範囲】
【請求項１】
自動コーヒーサーバー機能を付加した飲水機
【発明の詳細な説明】
【技術分野】
【０００１】
本発明は家庭用、および業務用飲水機に関するものである。
【背景技術】
【０００２】
飲水機、自動コーヒーサーバーは個別の製品として存在したが、内部機能には共通する部分も多く、一体化によるメリットが多くあった。
【発明の開示】
【発明が解決しようとする課題】
【０００３】
従来飲水機と自動コーヒーサーバーは別の製品として存在した。日本においては、手動のコーヒーメーカーの普及は進んだが、顧客はもっと簡単にコーヒーが飲める機器を望んでいる。また、現在先進国で普及が進んでいる飲水機も、ユーザーニーズにあった製品だが、両者を置こうとすると設置場所が問題になる。
【課題を解決するための手段】
【０００４】
そこで、飲水機の筐体内に容易に組み込める、小型の自動コーヒーサーバーを開発し、飲水機に組み込んだ。また、コーヒーサーバーに必要な機能を制御する基板も内蔵した。
構造的にはコーヒー豆またはインスタントコーヒーを収納するボックス、豆を挽く機構、抽出する機構などが組み込まれている。給湯は飲水機のものを利用できるので、コーヒーサーバー部分の構造は簡単になった。
【発明の効果】
【０００５】
その結果、設置が簡単になり、場所もとらず簡単にコーヒーも楽しめるようになった。水の供給も一度で済み、豆もしくはコーヒーパウダーの供給のみで、いつでもコーヒーを抽出できるようになった。電気代についても一体化することで、ほぼ飲水機１台分と変わらないようになり、省エネ化が計れた。また、一体化することで部品の共用化をはかることができ、大幅なコストダウンができた。
【産業上の利用可能性】
【０００６】
水関連の機器については、健康上の理由などからミネラルウォーターなどの需要がのびており、今後とも成長が見込める。またコーヒーについても総需要は頭打ちながら、レギュラーコーヒーなど、味にこだわったものは同様に成長がみこめる。本機械によってミネラルウォーターを使った美味しいコーヒーを簡単に楽しめるようになる。
【図面の簡単な説明】
【０００７】
【図１】全体の構成図である。
【符号の説明】
【０００８】
１  飲水機筐体
２  豆、コーヒーパウダーの容器
３  グラインダー
４  熱湯供給装置
５  コーヒー撹拌部
６  コーヒー廃棄用ボックス
７  コーヒーおよび給湯蛇口
【図１】
2008073266.tif 000003
(57)【要約】      （修正有）【課題】極度の肩こりにも効果があるよう強い力が加わり、長時間使用でき、加圧点を一点に集中できるような指圧軸先端を持ち、指圧軸に太もも掛け軸をつけた指圧器具を提供する。【解決手段】  中空軸１の上部に半円状の指圧軸２を設け、その先に指圧軸先端３を取り付ける。下端は、太ももの力をかけやすくする為に太もも掛け軸４を設ける。施療者本人が床に座るか、横になった状態で膝と腰を曲げ、中空軸１を握り、指圧軸先端３を指圧箇所に当て、太ももを太もも掛け軸４に乗せ、太ももにより前後運動をすると、容易に指圧箇所の指圧ができる。【選択図】図１
2008073489.tif 000002
【特許請求の範囲】
【請求項１】
中空軸の上部に半円状の指圧軸を設け、その先に指圧軸先端を取り付ける。下端は太ももの力をかけやすくするために太もも掛け軸をもうけることを特徴とする指圧器具。（あん摩器）
【発明の詳細な説明】
【技術分野】
【００１】  本発明は、太もも掛け軸をつけた指圧器具に関するものである。
【背景技術】
【００２】  従来、手で持って肩をたたく指圧器具があった。
【発明の開示】
【発明が解決しようとする課題】
【００３】  そのために、次のような問題点があった。
（イ）強い力が加わりにくく、極度の肩こりには効果がほとんどなかった。
（ロ）長時間使用すると、手がだるくなってくる。
（ハ）加圧点を一箇所に固定するのが困難である。
本発明は、これらの問題点を解決する為になされたものである。
【課題を解決する為の手段】
【００４】  中空軸の上部に半円状の指圧軸を設ける。指圧軸先端を指圧点に固定できるように両手で中空軸を支える。下端は太ももの力をかけやすくするために太もも掛け軸を設ける。以上を特徴とする指圧器具である。
【発明の効果】
【００５】  両手で中空軸を握り、指圧軸を一箇所に固定し、太ももで太もも掛け軸に力を加えることでバランスをとりながら大きな力を楽に指圧部にかける事ができる。
【発明を実施する為の最良の形態】
【０００６】  以下、本説明の実施の形態について説明する。
（イ）  中空軸（１）の上部に半円状の指圧軸（２）をもうける。
（ロ）  指圧軸（２）の先には指圧面積を変えられる様に取替えのできる指圧軸先端（３）を取り付ける。
（ハ）  中空軸（１）の下部は太もも掛け軸（４）を装備する
本発明は、以下のような構成でこれを使用するときは、床に座るか、横になった状態で膝と腰を曲げ中空軸（１）を握って指圧軸先端（３）を指圧したい所にあてがった状態で中空軸（１）を挟むようにしながら太もも掛け軸の上に太ももをのせ、少しずつ腰を伸ばしたり、曲げたりさせて前後運動する。（太ももを上下させるのと同じ動き）
この前後運動により、思いどおりの場所を思いどおりの強さで指圧する事ができる。
また、中空軸（１）と指圧軸（２）の連結部の回転を可動式にすると使いやすい。
また、（１）、（２）、（３）、（４）を分解し、組み立て式にすると携帯用に便利である。
【図面の簡単な説明】
【０００７】
【図１】  本発明の斜視図
【図２】  本発明の側面図
【図３】  本発明の使用説明図
【図４】  本発明の他の実施例を示す斜視図
【符号の説明】
【０００８】  １  中空軸
２  指圧軸
３  指圧軸先端
４  太もも掛け軸
５  ハンドル
【図１】
2008073489.tif 000003
【図２】
2008073489.tif 000004
【図３】
2008073489.tif 000005
【図４】
2008073489.tif 000006
(57)【要約】      （修正有）【課題】カーブキックがうまく蹴れないことを解決すること。足の甲の保護が十分でないこと強力なシュートが蹴れないことを解決すること。【解決手段】サッカーシューズのフロント部分にパッチを取り付けることにより、この課題を解決する。  サッカーシューズのベロの部分にプロテクターを入れることにより、この課題を解決する。【選択図】図１
2008073481.tif 000002
【特許請求の範囲】
【請求項１】
カーブキックが容易に蹴ることができるサッカーシューズのパーツ。
【請求項２】
強力なシュートを蹴ることができ、足の甲を守ることができるサッカーシューズ用のパーツ。
【発明の詳細な説明】
【技術分野】
【００１】  本発明は、カーブキックが容易に蹴ること足の甲をまもり尚且つ強力なシュートを蹴ることを望んでいる人に提供するサッカーシューズのパーツです。
【背景技術】
【００２】  従来のサッカーシューズは、フロントの表面がフラットのものが使用さらており、またベロの部分については、布地のものが使用されている。
【発明の開示】
【発明が解決しようとする課題】
【００３】  本発明は、サッカーシューズのフロントの表面がフラットの為、カーブキックがうまくうてない人の不安を解決することを課題とする。【００４】  本発明は、サッカーシューズのベロの部分が布地の為、足の甲の保護が充分でない、強力なシュートがうてない人の不安を解決することを課題とする。
【課題を解決するための手段】
【００５】  この課題を解決するための請求項１の発明は、サッカーシューズのフロントの内側と外側にゴム製の凹凸のあるパッチを取り付けることにより、キックの時にボールとの摩擦を増やすことで通常より鋭角なカーブキックが蹴ることが出来る。【００６】  この課題を解決するための請求項２の発明は、サッカーシューズのベロの部分の中にゴム製のプロテクターを入れることで、足の甲を保護し又ゴムの弾力と凹凸により通常より強力なシュートを蹴ることが出来る。
【発明の効果】
【００７】  本発明により、カーブキックがうまく蹴れないという不安は解決され、通常より鋭角なカーブキックが蹴ることが出来る。【００８】  本発明により、足の甲の保護が充分でない事と強力なシュートが蹴れないという不安は解決され、足の甲がしっかり保護され通常より強力なシュートを蹴ることが出来る。
【発明を実施するための最良の形態】
【００９】  図１は、サッカーシューズのフロントの内側と外側にゴム製のパッチを取り付けた図である。図に示すようにサッカーシューズにゴム製のパッチを取り付けることにより、キックの時にボールとの摩擦が通常より大きくなり鋭角なカーブキックが蹴ることが出来る。【０１０】  図２は、サッカーシューズのベロの部分にゴム製のプロテクターを入れた図である。図に示すようにサッカーシューズのベロの部分にプロテクターを入れることにより、足の甲の保護がなされ、プロテクターの凹凸と弾力により通常より強力なシュートを蹴ることが出来る。
【産業上の利用可能性】
【０１１】  本発明に係るサッカーシューズのパーツは、工業的に量産する事が可能のため、産業上の利用可能性を有する。また、サッカーシューズのパーツは、初めからサッカーシューズに標準で取り付けることが出来る。
【図面の簡単な説明】
【０１２】
【図１】  サッカーシューズにパッチを取り付けた図とパッチの図である。
【図２】  サッカーシューズにプロテクターを取り付けた図とプロテクターの図である。
【図３】  パッチの図面
【図４】  プロテクターの図面
【符号の説明】
【０１３】１  パッチ
２  プロテクター
３  サッカーシューズ
【図１】
2008073481.tif 000003
【図２】
2008073481.tif 000004
【図３】
2008073481.tif 000005
【図４】
2008073481.tif 000006
(57)【要約】【課題】松葉杖を使用する際に発生する危険性、不便さ、痛みなどを取り除くことが本発明の課題である。【解決手段】従来の松葉杖脇あて部材に、取り外し可能なクッションパッドを取り付け、このパッドに肩に掛けるにゴム紐を付けることによって、上記の課題を解決することができた。【選択図】図１
2008073485.tif 000002
【特許請求の範囲】
【請求項１】
松葉杖の脇あて部材に着脱可能に被せる袋状のクッションカバーと、そのカバーに取り付け、かつ同カバーとの間に腕を挿入して肩にかける環状の肩掛け部を形成するゴム紐とにより構成し、前記ゴム紐は長さ調節可能にしたことを特徴とする松葉杖のサポート用具。
【発明の詳細な説明】
【技術分野】
【０００１】  本発明は、松葉杖の脇あて部材に取り付けて使用する松葉杖のサポート用具に関するものである。
【背景技術】
【０００２】  従来の松葉杖の脇あて部材は、ステンレス製の横木に樹脂製のカバーを取り付けただけのものである。【０００３】  このため、次の（１）〜（５）に記載の問題点があった。
（１）脇あて部材にクッション性がなく、常に脇の下で体重を支え、松葉杖が脇からはずれないように強く押さえているために、上腕、脇の下が圧迫され強い痛みが出て、時には神経を痛め、回復に時間がかかることがある。
（２）脇あて部材が脇からはずれやすく、松葉杖が倒れて患者が転倒することがしばしばあり、そのとき患部に大きなダメージを与える危険性が高い。
（３）手で松葉杖を支えるため、手の自由が奪われるという不便さがある。
（４）一見軽そうに見える松葉杖だが、健常な足一本と松葉杖とに体重を移動させながら松葉杖を持ち上げては降ろすという動作の繰り返しは長時間続くとかなりの疲労と負担をもたらす。
（５）あまりにも機能性を重視してファッション性がなさすぎる。
本発明は、これらの問題点を解決するためのものである。
【発明の開示】
【発明が解決しようとする課題】
【０００４】  本発明は、上記問題点を解決することを課題とする。
【課題を解決するための手段】
【０００５】  本発明が提供する松葉杖のサポート用具は、松葉杖の脇あて部材に着脱可能に被せる袋状のクッションカバーと、そのカバーに取り付け、かつ同カバーとの間に腕を挿入して肩にかける環状の肩掛け部を形成するゴム紐とにより構成し、前記ゴム紐は長さ調節可能にしたことを特徴とするものである。
【発明の効果】
【０００６】  本発明は、上述のような構成としたので、次の（１）〜（５）に記載の効果を奏する。
（１）クッションカバーにゴム製の紐をかけたことによって、松葉杖が肩で保持されるため、手を離しても転倒する危険性を回避することが出来る。
（２）ゴム紐が取り付けられたことにより、松葉杖を保持したまま手を離すことが出来るため、手を使う作業が可能となる。
（３）ゴムひもを肩にかけるため、松葉杖の重量が分散されるとともに、ゴムの伸び縮みするときの反動を利用することにより、松葉杖の上下運動が、ゴム紐が付いていないときよりも軽くなり、長時間の使用にも疲労や痛みが軽く、耐えやすくなる。
（４）袋でクッションパッドを包み、充分なクッション性を持たせたので、皮膚がすれて痛んだり、脇の下や上腕等の圧迫による神経障害や痛みを防ぐことが出来る。
（５）取り外し可能な布製の袋をつけるようにしたので、簡単に取り外して洗濯ができ、衛生的であると共に、デザイン的にもファッション性が出る。
【発明を実施するための最良の状態】
【０００７】  以下本発明の実施形態を図１によって説明する。
松葉杖の脇あて部材１には、クッションパッド２を内蔵した布製のクッションカバー３が被せられている。クッションカバー３は脇あて部１を包み込むように袋状になっていて、その開口部４から脇あて部材１を入れて、開口部４より延長された重ねあわせ部にマジックテープ（登録商標）５を取り付けて閉じる。クッションカバー３はこのようにして脇あて部１に簡単に取り付けたり、はずしたりすることが可能となっている。
【０００８】クッションカバー３にはゴム紐６を保持するためのベルト７を設ける。ゴム紐６は、金具８によりベルト７に取り付けられている。ゴム紐６は調節金具１０により長さの調節が可能である。ゴム紐６とクッションカバー３とで、腕を挿入して肩にかける環状の肩掛け部が形成される。なお、９は松葉杖の脚部である。
【図面の簡単な説明】
【０００９】
【図１】本発明の実施例の斜視図である。
【図２】実施例の断面図である。
【図３】実施例の正面図である。
【符号の説明】
【００１０】  １    脇あて部
２    クッションパッド
３    袋状のクッションカバー
４    開口部
５    マジックテープ（登録商標）
６    ゴム紐
７    ベルト
８    金具
９    松葉杖の脚部
１０    調節金具
【図１】
2008073485.tif 000003
【図２】
2008073485.tif 000004
【図３】
2008073485.tif 000005
(57)【要約】【課題】従来の伸縮式ブックエンドは、１つの大きさの本しか対応できず、本の大きさに合う伸縮式ブックエンドに交換しなくてはならなかった。また、伸縮式ブックエンドを縮めることは容易だが、固定する構造がなく、これを縮めてビニールテープや紐などで固定しなくてはなかった。【解決手段】請求項１では、凹部３と凸部４を嵌合させることにより、弾性体１がストッパー２ａ、２ｂ内に格納され、１つの箱状なり、収納が楽になった。また、請求項２、３では、２つのストッパーの高さを変えることができ、いろんな大きさの本に対応できるようになった。【選択図】図１
2008073486.tif 000002
【特許請求の範囲】
【請求項１】
２つのストッパーを嵌合させることにより弾性体を格納し、固定することを特徴とする伸縮式ブックエンド。
【請求項２】
２つのストッパーの高さを調節できることを特徴とする伸縮式ブックエンド。
【請求項３】
２つのストッパーが、簡単に脱着できることを特徴とする伸縮式ブックエンド。
【発明の詳細な説明】
【技術分野】
【０００１】  この発明は、伸縮式ブックエンドに関する。
【特許文献１】実開昭５１−１３６７２３号公報  特開２００３−１５３７５２号公報  特開２００３−１０２５６３号公報
【０００２】  従来の伸縮式ブックエンドは、２つのストッパーの間に伸縮する弾性体があり、本からかかる力をストッパーが受け止め、弾性体の反発力で本を支えるものである。
【発明の開示】
【発明が解決しようとする課題】
【０００３】しかしながら、以上の技術によれば、１つ伸縮式ブックエンドに対し１つの大きさの本しか対応できず、本の大きさに合う伸縮式ブックエンドに交換しなくてはならなかった。また、収納する場合、伸縮式ブックエンドを縮めることは容易だが、固定する構造がなく、これを縮めてビニールテープや紐などで固定しなくてはならず面倒であった。この発明は、ストッパーの中に弾性体を格納し、ストッパーを嵌合させることにより固定できるという特徴と、さまざまな大きさの本に対応できるという特徴を持つ伸縮式ブックエンドを提供することを課題とする。
【課題を解決するための手段】
【０００４】  以上の課題を解決するために、請求項１は、ストッパーに弾性体を格納し固定することを特徴とする伸縮式ブックエンドである。  また、請求項２は、２つのストッパーの高さを調節できることを特徴とする伸縮式ブックエンドである。また、請求項３は、２つのストッパーが、簡単に脱着できることを特徴とする伸縮式ブックエンドである。
【発明の効果】
【０００５】  請求項１によれば、２つのストッパーに弾性体を格納し固定できるといことを特徴とする伸縮式ブックエンドであり、使用しないときは、１つの箱状になるので本棚にそのまま収納できる。【０００６】  請求項２によれば、ストッパーをスライドさせることで、高さを調節できるといことを特徴とする伸縮式ブックエンドであり、１つ伸縮式ブックエンドでいろんな大きさの本にも対応できる。【０００７】  請求項３によれば、弾性体にストッパーが簡単に脱着できるということを特徴とする伸縮式ブックエンドであり、本の大きさに合ったストッパーに交換することで、いろんな大きさの本に対応できる。
【発明を実施するための最良の形態】
【０００８】  請求項１の一実施形態を、図１のＡ、Ｂに示す。弾性体１の両端に、ストッパー２ａ、２ｂがあり、ストッパー２ａ側に凹部３、ストッパー２ｂ側に凸部４を設ける。伸縮式ブックエンドを使用しない場合は、ストッパー２ａ側の凹部３とストッパー２ｂ側の凸部４を嵌合させることにより、弾性体１がストッパー２ａ、２ｂ内に格納され、１つの箱状になる。【０００９】  請求項２の一実施形態を、図２のＣ、Ｄに示す。弾性体１の両端に、スライド軸５があり、そのスライド軸に沿って上部ストッパー６ａは上方向、下部ストッパー２ｂは下方向にスライドできる。【００１０】  請求項３の一実施形態を、図１のＥに示す。弾性体１の両端に、取り付け孔７を設け、この取り付け孔７に交換用ストッパー８に設けたストッパー凸部９を差し込む。ストッパーを交換する場合は、ストッパー凸部９を引き抜き、別のストッパーを用意し、この取り付け孔７にストッパー凸部９を差し込む。【００１１】「他の実施形態」
すべての部品を、同じ材料で作ればリサイクルが容易にできる。請求項１、請求項２、請求項３の特徴を、組み合わせても良い。
【図面の簡単な説明】
【００１２】
【図１】本発明のＡは展開した状態の、Ｂは格納した状態を示す、ともに正面図。
【図２】本発明のＣはスライドさせていない状態の、Ｄはスライドさせた状態を示す、ともに正面図。
【図３】本発明のＥはストッパーを取り付けた状態の、Ｆは交換用ストッパーの大きさの違いを示す、ともに正面図。
【符号の説明】
【００１３】    １    弾性体
２ａ  ストッパー
２ｂ  ストッパー
３    凹部
４    凸部
５    スライド軸
６ａ  上部ストッパー
６ｂ  下部ストッパー
７    取り付け孔
８    交換用ストッパー
８ａ  交換用ストッパー大
８ｂ  交換用ストッパー中
８ｃ  交換用ストッパー小
９    ストッパー凸部
【図１】
2008073486.tif 000003
【図２】
2008073486.tif 000004
【図３】
2008073486.tif 000005
(57)【要約】【課題】  本発明は、手洗い後の濡れ手を送風により脱湿乾燥する２個のサイクロンを設けた濡れ手脱湿乾燥器を提供する。【解決手段】  双胴サイクロン式の脱湿乾燥部を設け、濡れ手入口にエアカーテンを設け、半密封室の中で濡れ手脱湿乾燥を効率良く行い、排気を静圧で壁側下部に排出する外装函体に収納した電力を節約し、衛生的に使用できる濡れ手脱湿乾燥器。【選択図】図１
2008073483.tif 000002
【特許請求の範囲】
【請求項１】
左右両手のそれぞれを入れて脱湿する２個のサイクロン筒を設け、各１個の濡れ手入口リングに赤外線センサーの送受信部をリングの左右対称の収納箇所に置き、その下にエアカーテンノズルを設け、２個のサイクロンに送風する１個の空気取入れフィルターを持つ電動送風機で、２個のエアカーテン・ノズルと２個のサイクロンに送風する４方分岐ダクトを設けた濡れ手脱湿乾燥器。
【請求項２】
サイクロンの下部狭部で上昇気流を止めるため、サイクロン筒の下部中芯に末端が突出する円錐体を設け、サイクロンの下部端末を円錐体に沿って一定間隙を保って広げた下部形状をしたサイクロンであり、円錐体表面に端末へ湿気を含んだ空気を勢いよく排出させる渦流を強めるためのサイクロン方向に合せたＳ字状又は逆Ｓ字状の盛上げ加工をしてある、請求項１記載の濡れ手脱湿乾燥器。
【請求項３】
両手を装置の中に差し入れ易い適当な傾斜面に濡れ手脱湿乾燥器の２個のサイクロン部を設け、サイクロン端末には不織布パット付脱湿トレーと脱水タンクを兼備したトレー引出しを設け、静圧になった排気を壁側下部に排出する排気口を設けた外装函体に収納された請求項１記載の濡れ手脱湿乾燥器。
【発明の詳細な説明】
【０００１】  本発明は、手洗い後の濡れ手を送風により脱湿乾燥する２個のサイクロンを設けた濡れ手脱湿乾燥器に関するものである。
【背景技術】
【０００２】  従来、濡れ手を入れる開放型の脱湿乾燥部に複数の空気の吹出ノズル部を１列又は２列に配置し、圧送する冷風又は温風を送り、赤外線センサーを手入口に設けて、手が入っている間、送風機が起動し、手を抜き出すと停止する方式の濡れ手乾燥器があった。
【発明の開示】
【発明が解決しようとする課題】
【０００３】  そのために、次のような問題があった。
（イ）濡れ手を入れる脱湿乾燥部が開放型であるため、送風の圧力、風量の損失が大きく、消費電力が大きくなる。
（ロ）濡れ手を入れる部分が開放型であるため、脱湿した水分を含んだ空気が周辺に飛散して飛沫が使用者の呼吸に混入する可能性がある。
特に子供の場合、開放部に顔が近いので、衛生面の配慮に問題を残す。
本発明は、これらの問題点を解決するためになされたものである。
【課題を解決するための手段】
【０００４】（イ）左右両手のそれぞれを入れて脱湿乾燥する２個のサイクロン筒を設ける。
各１個の濡れ手入口リングに赤外線センサーの送受信部をリングの左右対称の収納箇所に置き、その下にエアカーテン・ノズルを設ける。
２個のサイクロンに送風する１個の空気取入フィルターを持つ電動送風機と、２個のエアカーテン・ノズルと２個のサイクロンに空気を送風する４方分岐ダクトを設けた濡れ手脱湿乾燥器である。
（ロ）サイクロンの下部狭部で上昇気流乾燥を止めるため、サイクロン筒の下部中芯に末端が突出する円錐体を設ける。
サイクロンの下部端末を円錐体に沿って一定間隙を保って広げた下部形状をしたサイクロンであり、円錐体表面に端末へ湿気を含んだ空気を勢いよく排出させるための、サイクロン方向に合せたＳ字状又は逆Ｓ字状の盛上げ加工をしてあるサイクロンを用いる濡れ手脱湿乾燥器である。
（ハ）両手を装置の中に差し入れるために適当な傾斜面に濡れ手脱湿乾燥器の２個のサイクロン部を設ける。
サイクロン端末には脱湿用不織布パット付トレーと脱水タンクを兼備したトレー引出しを設ける。
静圧になった脱湿排気を壁側下方に排出する排気口を設けた外装函体に収納された濡れ手脱湿乾燥器である。
【発明の効果】
【０００５】（イ）本発明の双胴サイクロン方式を用いれば脱湿乾燥部が半密封状態になるため、脱湿効果が効率良くなり消費電力が節減できる。
（ロ）濡れ手入口のエアカーテンの働きにより、使用者への送風及び排気の混合した空気が吹き掛かることがなく、排気を静圧にして壁側下部へ排出するため衛生的に使用できる。
【発明を実施するための最良の形態】
【０００６】（イ）双胴サイクロン式濡れ手脱湿乾燥器本体（１）を設ける。
エアカーテンと、サイクロンへ送風する４分岐ダクト（２）を設ける。
空気取入口にフィルターを持つ電動送風機（３）を設ける。
赤外線センサー送受信部を左右対称に配置した濡れ手入口リング（４）を設ける。
その下にエアカーテン・ノズル（５）を設ける。
サイクロン端末から排出される湿気を含んだ空気を受ける不織布脱湿パット付きの脱湿トレー（６）を設ける。
脱湿した水分を貯める水タンク兼用のトレー引出し（７）を設ける。
電源「ＯＮ−ＯＦＦ」スイッチと赤外線センサーの働きにより濡れ手がサイクロンに入ると起動し、手が抜き出されると停止する制御機能をもつ制御函（８）を設ける。
（ロ）サイクロンはその下部狹部で上昇気流を止めるため、サイクロン筒の下部中芯に末端が突出する円錐体（１−ｂ）を設ける。
サイクロンの下部端末を円錐体に沿って一定間隙を保って広げた下部形状をしたサイクロン筒（１−ａ）を用いる。
円錐体表面には、サイクロン端末へ湿気を含んだ空気を勢いよく排出させる渦流を強めるための、サイクロンの風方向に合ったＳ字状又は逆Ｓ字状の盛上げ加工（１−ｃ）をしてあるサイクロンを用いる。
（ハ）両手を装置の中に差し入れ易い適当な傾斜面に双胴サイクロン式濡れ手脱湿乾燥器本体装備品（（１）〜（８））を収納し、静圧になった排気を排出する排気口をもった外装函体（９）に構成する。
本発明は、以上のような構成である。
これを使用するとき、使用者が立ったまゝ濡れ手を適当な傾斜面に設けられた濡れ手入口リングに差し入れるだけで、リングに設けられた赤外線センサーの働きで電動送風機が起動し、サイクロン脱湿乾燥が行われ、手を抜き出せば、自動的に送風機が停止する。
脱湿用の送風と排気も使用者には直接掛からないため衛生的に使用できる。
【図面の簡単な説明】
【０００７】
【図１】  本発明の内部を透視した斜視図
【図２】  本発明のサイクロンの断面図
【図３】  本発明の一部を切り欠いた正面図
【図４】  本発明の外装函体の側面図
【符号の説明】
【０００８】    １      双胴サイクロン式濡れ手脱湿乾燥器本体
１−ａ  サイクロン筒（末端円錐体に沿った末広がりの形状）
１−ｂ  サイクロン下部円錐体
１−ｃ  円錐体表面のＳ字状又は逆Ｓ字状の盛り上げ加工図
２      エアカーテン・ノズルと双胴サイクロンへ送風する４分岐ダクト
３      エアフィルター付電動送風機
４      赤外線センサー送受信部付濡れ手入口リング
５      エアカーテン・ノズル
６      脱湿トレー、不織布パット付き
７      脱水分タンク兼用トレー引出し
８      制御函
９      外装函体
【図１】
2008073483.tif 000003
【図２】
2008073483.tif 000004
【図３】
2008073483.tif 000005
【図４】
2008073483.tif 000006